(57)【要約】【課題】    複数のロール状テープを素早く使用可能な状態で備えたいが、テープを切る刃を備える切断部が複数存在すると、ロール状テープ支持部と切断部をつなぐ構造が大掛かりになってしまい、卓上スペースを無駄に占有し、持ち運びの際は重く大きくて不便であり、また、複数の刃が離れた位置にあることでテープ切断時や何気ない日常で不意に怪我をしてしまう可能性が高くなってしまう。【解決手段】  ロール状テープ（１）支持部（３）と、ロール状テープ（４）支持部（６）と、テープ（１６）及び（１７）をそれぞれ切断する刃（８）及び（９）を備える切断部（７）と、テープ（１６）及び（１７）をそれぞれ貼り剥がし自在な貼り付け部（１０）及び（１１）と、を最適な位置関係で配置する。【選択図】         図１
2016216229.tif 000002
【特許請求の範囲】
【請求項１】
第１ロール状テープを第１軸線中心に回転自在且つ着脱自在に支持する第１支持部と、
第２ロール状テープを前記第１軸線に略平行な第２軸線中心に回転自在且つ着脱自在に支持し、前記第１ロール状テープの径方向に離れた位置に配置される第２支持部と、
前記第１テープ状ロール及び前記第２テープ状ロールの径方向に離れた位置に配置される切断部と、
前記切断部に備えられ、前記第１ロール状テープから引き出された第１テープを切断する第１刃と、
前記切断部に備えられ、前記第２ロール状テープから引き出された第２テープを切断する第２刃と、
前記第１刃及び前記第１支持部の間に配置され、前記第１テープを貼り剥がし自在な第１貼り付け部と、
前記第２刃及び前記第２支持部の間に配置され、前記第２テープを貼り剥がし自在な第２貼り付け部と、
を具備する、テープカッター。
【請求項２】
前記第１刃及び前記第１支持部の間に配置される第１指避け部と、
前記第２刃及び前記第２支持部の間に配置される第２指避け部と、
を具備する、
請求項１に記載のテープカッター。
【発明の詳細な説明】
【技術分野】
【０００１】
本発明は、テープカッターに関する。
【背景技術】
【０００２】
テープカッターにおいては、特許文献１の実施例のように、ロール状テープを回転自在且つ着脱自在に支持する支持部と、引き出されたテープを切断する刃と、支持部と刃の間にテープを貼り剥がし自在な貼り付け部と、貼り付け部に貼り付いたテープを指先で摘む際に指先を避ける形状と、が設けられるアイデアがよく知られている。
【０００３】
また、テープカッターにおいては、特許文献２の実施例のように、ロール状テープ支持部に、径寸法の異なる２種類のロール状テープを選択して装着可能なアイデアが知られている。
【０００４】
また、テープカッターにおいては、特許文献３の実施例のように、同心な回転中心軸を有し軸方向に並んだ複数のロール状テープと、指を避けるようにロール状テープ径方向にそれぞれ異なる距離に配置される複数の刃と、を備えるアイデアが知られている。
また、特許文献４の実施例のように、同心な回転中心軸を有し軸方向に隣り合うロール状テープと、指を避けるようにロール状テープ径方向にそれぞれ異なる方向に配置される複数の刃と、を備えるアイデアが知られている。
また、特許文献５の実施例のように、略同心且つ略平行と言えるような適当な角度のついた回転中心軸を有し軸方向に隣り合う複数のロール状テープと、指を避けるようにロール状テープ軸方向に互いに離れた位置に配置される複数の刃と、を備えるアイデアが知られている。
【先行技術文献】
【特許文献】
【０００５】
【特許文献１】特開２０１０−０８９２４４号公報
【特許文献２】特開２０１４−０６５６０１号公報
【特許文献３】実開平０１−０６８３５９号公報
【特許文献４】実開昭６２−０９８６６２号公報
【特許文献５】実登３１１７７７６号公報
【発明の概要】
【発明が解決しようとする課題】
【０００６】
テープカッターにおいては、複数のロール状テープを素早く使用可能な状態で備えたいが、特許文献１及び２のような実施例ではロール状テープを１個しか素早く使用可能な状態に出来ない。また、特許文献３から５のような実施例では複数のロール状テープを素早く使用可能な状態で備えるが、いずれのアイデアもテープを切る刃を備える切断部が複数存在し、ロール状テープ支持部と切断部をつなぐ構造が大掛かりになってしまい、卓上スペースを無駄に占有し、持ち運びの際は重く大きくて不便であり、また、複数の刃が離れた位置にあることでテープ切断時や何気ない日常で不意に怪我をしてしまう可能性が高くなってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るテープカッターは、例えば図１から５のいずれかのように、
ロール状テープ１を軸線２中心に回転自在且つ着脱自在に支持する支持部３と、
ロール状テープ４を軸線２に略平行な軸線５中心に回転自在且つ着脱自在に支持し、ロール状テープ１の径方向に離れた位置に配置される支持部６と、
テープ状ロール１及び４の径方向に離れた位置に配置される切断部７と、
切断部７に備えられ、ロール状テープ１から引き出されたテープ１６を切断する刃８と、
切断部７に備えられ、ロール状テープ４から引き出されたテープ１７を切断する刃９と、
刃８及び支持部３の間に配置され、テープ１６を貼り剥がし自在な貼り付け部１０と、
刃９及び支持部６の間に配置され、テープ１７を貼り剥がし自在な貼り付け部１１と、
を具備する、テープカッターである。
【０００９】
発明２に係るテープカッターは、発明１のテープカッターにおいて、
刃８及び支持部３の間に配置される指避け部１２と、
刃９及び支持部６の間に配置される指避け部１３と、
を具備する、テープカッターである。
【発明の効果】
【００１０】
以上のように本発明では、ロール状テープ１及び４を素早く使用可能な状態で備えることが可能で、切断部７に刃８及び９が備えられることから支持部３及び６と切断部７をつなぐ構造を共用してロール状テープ１及び４の隙間に切断部７をコンパクトに配置する、軽く小さく、刃８及び９で怪我をする可能性の低いテープカッターの設計が容易となる。
【００１１】
また発明２では、本発明の効果に加えて、貼り付け部１０及び１１にそれぞれ貼り付いたテープ１６及び１７を剥がして切断動作に移ることが容易なテープカッターとなる。
【図面の簡単な説明】
【００１２】
【図１】第１実施形態の素早く使用可能状態を表した斜視図
【図２】第２実施形態の素早く使用可能状態を表した斜視図
【図３】第３実施形態の素早く使用可能状態を表した斜視図
【図４】第４実施形態の素早く使用可能状態を表した斜視図
【図５】第５実施形態の素早く使用可能状態を表した斜視図
【図６】切断部７を拡大表示した斜視図
【図７】切断部７を拡大表示した斜視図
【発明を実施するための形態】
【００１３】
本発明の第１実施形態を図１に基づいて説明する。
【００１４】
およそ長方形の樹脂製プレート体３０から垂直に延び軸線２及び５をそれぞれ中心とする外径の異なる円筒形状１４及び１５が設けられており、それぞれが支持部３及び６を成している。また、プレート体３０から垂直に延びる円柱状の突起には共通の刃先を有する刃８及び９と、テープ１６及び１７をそれぞれ貼り剥がし自在な平面状の貼り付け部１０及び１１が設けられており、これらが切断部７を成している。
大径の透明粘着テープであるロール状テープ１と、小径の半透明粘着テープであるロール状テープ４がそれぞれ円筒形状１４及び１５に回転自在に装着されており、貼り付け部１０及び１１に貼り付いたテープ１６及び１７の粘着面の内側の指避け部１２及び１３は互いのスペースを共用しているので比較的広い指避け部と言える。
また、テープ１６を切断する際は、プレート体３０のエッジに設けられた接地部２１を机の作業面に押し当てるか、円筒形状１４の内側貫通穴に左手の指を入れてつり革を掴むようにテープカッターを固定し、指避け部１２に右手の人差し指を入れてテープ１６を貼り付け部１０から剥がし、テープ１６をロール状テープ１から更に引き出して刃８に当て切断すればよい。
また、テープ１７を切断する際は、プレート体３０のエッジに設けられた接地部２０を机の作業面に押し当てるか、円筒形状１４の内側貫通穴に右手の指を入れてつり革を掴むようにテープカッターを固定し、指避け部１３に左手の人差し指を入れてテープ１７を貼り付け部１１から剥がし、テープ１７をロール状テープ４から更に引き出して刃９に当て切断すればよい。
【００１５】
本発明の第２実施形態は第１実施形態と共通する部分が多いので、主に違いについて図２に基づいて説明する。
【００１６】
貼り付け部１０及び１１は切断部７ではなく、ロール状テープ１及び４に近い位置でプレート体３０から垂直にそれぞれ延びる２本の円柱形状の外周に設けられており、また、指避け部１２は刃８と貼り付け部１０の間及び貼り付け部１０と支持部３の間に位置しており、指避け部１３は刃９と貼り付け部１１の間及び貼り付け部１１と支持部６の間に位置している。また、テープ１６及び１７の粘着面はテープカッター外側に向くようにロール状テープ１及び４が装着されている。このように粘着面を外側に向けることで、テープ１６及び１７が互いに貼り付いてしまうトラブルの可能性を軽減出来る。
また、テープ１６及び１７の粘着面を第１実施形態のように内側向きにして、貼り付け部１０及び１１の円柱形状の外側にそれぞれテープ１６及び１７を通しても使用可能である。
また、貼り付け部１０及び１１の円柱形状を軸中心に回転可能なローラー構造としておけば、テープ１６及び１７引き出しの際に貼り付け部１０及び１１を避ける必要が無くなるだろう。
【００１７】
本発明の第３実施形態は第１及び第２実施形態と共通する部分が多いので、主に違いについて図３に基づいて説明する。
【００１８】
片持ち状態である第１実施形態の円筒形状や円柱状突起に着脱自在に嵌合して補強するプレート体３１を設け、新たにプレート体３０及び３１に指避け部１２及び１３を設ける為に切り欠き形状をそれぞれ設け、指避け部１２及び１３を分けるように切断部７の円柱状突起とつながるように補強用の壁２２をプレート体３０及び３１の間に設けている。
切り欠き形状によってプレート体３０及び３１の両方向から指先を指避け部１２及び１３に入れること容易となる。
【００１９】
本発明の第４実施形態は第１実施形態と共通する部分が多いので、主に違いについて図４に基づいて説明する。
【００２０】
ロール状テープ１及び４は同一径で色違いの半透明粘着テープである。
また、テープ１６及び１７を切断する際は、円筒形状１４及び１５の内側貫通穴に２本の指を入れてテープカッターを固定すればよいだろう。
【００２１】
本発明の第５実施形態は第３実施形態と共通する部分が多いので、主に違いについて図５に基づいて説明する。
【００２２】
ロール状テープ１及び４は同一径で色違いの半透明粘着テープである。
また、テープ１６及び１７を切断する際は、プレート体３０及び３１のエッジに設けられた接地部２３を机の作業面に押し当てるか、円筒形状１４及び１５の内側貫通穴に２本の指を入れてテープカッターを固定すればよいだろう。
【００２３】
本発明の第１から第５実施形態において、刃８及び９の刃先は直線状に描かれているが、最も知られたノコギリ状や、例えば図６のようなテープ切断端部がギザギザではなく直線状で美しいと評判の矩形刃形状など、様々な刃形状を採用できるだろう。
【００２４】
本発明の第１から第５実施形態において、刃８及び９は表裏の位置にあり刃先が共通であるが、例えば図７のように刃８及び９が分かれていてもよい。
【符号の説明】
【００２５】
１,４.                                 ロール状テープ
２,５.                                 軸線
３,６.                                 支持部
７.                                      切断部
８,９.                                 刃
１０,１１.                         貼り付け部
１２,１３.                         指避け部
１４,１５.                         円筒形状
１６,１７.                         テープ
１８,１９.                         粘着面
２０,２１,２３.                接地部
２２.                                  壁
３０,３１.                         プレート体
【図１】
2016216229.tif 000003
【図２】
2016216229.tif 000004
【図３】
2016216229.tif 000005
【図４】
2016216229.tif 000006
【図５】
2016216229.tif 000007
【図６】
2016216229.tif 000008
【図７】
2016216229.tif 000009
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
第１ロール状テープを第１軸線中心に回転自在且つ着脱自在に支持する第１支持部と、
第２ロール状テープを前記第１軸線に略平行な第２軸線中心に回転自在且つ着脱自在に支持し、前記第１ロール状テープの径方向に離れた位置に配置される第２支持部と、
前記第１ロール状テープ及び前記第２ロール状テープの径方向に離れた位置に配置される切断部と、
前記切断部に備えられ、前記第１ロール状テープから引き出された第１テープを切断する第１刃と、
前記切断部に備えられ、前記第１刃の隣接位置に配置され、前記第２ロール状テープから引き出された第２テープを切断する第２刃と、
前記第１刃及び前記第１支持部の間に配置され、前記第１テープを貼り剥がし自在な第１貼り付け部と、
前記第２刃及び前記第２支持部の間に配置され、前記第２テープを貼り剥がし自在な第２貼り付け部と、
を具備し、
前記第１貼り付け部に前記第１テープが貼り付いた準備状態を保ちながら、前記第１テープ及び前記第２テープの内側方向から前記第２刃によって前記第２テープのみを切断可能であり、
前記第２貼り付け部に前記第２テープが貼り付いた準備状態を保ちながら、前記第１テープ及び前記第２テープの内側方向から前記第１刃によって前記第１テープのみを切断可能である、
テープカッター。
【請求項２】
前記第１刃及び前記第２刃は表裏の位置にあり刃先が共通である、
請求項１に記載のテープカッター。
【手続補正２】
【補正対象書類名】明細書
【補正対象項目名】全文
【補正方法】変更
【補正の内容】
【発明の詳細な説明】
【技術分野】
【０００１】
本発明は、テープカッターに関する。
【背景技術】
【０００２】
テープカッターにおいては、特許文献１の実施例のように、ロール状テープを回転自在且つ着脱自在に支持する支持部と、引き出されたテープを切断する刃と、支持部と刃の間にテープを貼り剥がし自在な貼り付け部と、貼り付け部に貼り付いたテープを指先で摘む際に指先を避ける形状と、が設けられるアイデアがよく知られている。
【０００３】
また、テープカッターにおいては、特許文献２の実施例のように、ロール状テープ支持部に、径寸法の異なる２種類のロール状テープを選択して装着可能なアイデアが知られている。
【０００４】
また、テープカッターにおいては、特許文献３の実施例のように、同心な回転中心軸を有し軸方向に並んだ複数のロール状テープと、指を避けるようにロール状テープ径方向にそれぞれ異なる距離に配置される複数の刃と、を備えるアイデアが知られている。
また、特許文献４の実施例のように、同心な回転中心軸を有し軸方向に隣り合うロール状テープと、指を避けるようにロール状テープ径方向にそれぞれ異なる方向に配置される複数の刃と、を備えるアイデアが知られている。
また、特許文献５の実施例のように、略同心且つ略平行と言えるような適当な角度のついた回転中心軸を有し軸方向に隣り合う複数のロール状テープと、指を避けるようにロール状テープ軸方向に互いに離れた位置に配置される複数の刃と、を備えるアイデアが知られている。
【先行技術文献】
【特許文献】
【０００５】
【特許文献１】特開２０１０−０８９２４４号公報
【特許文献２】特開２０１４−０６５６０１号公報
【特許文献３】実開平０１−０６８３５９号公報
【特許文献４】実開昭６２−０９８６６２号公報
【特許文献５】実登３１１７７７６号公報
【発明の概要】
【発明が解決しようとする課題】
【０００６】
テープカッターにおいては、複数のロール状テープを素早く使用可能な状態で備えたいが、特許文献１及び２のような実施例ではロール状テープを１個しか素早く使用可能な状態に出来ない。また、特許文献３から５のような実施例では複数のロール状テープを素早く使用可能な状態で備えるが、いずれのアイデアもテープを切る刃を備える切断部が複数存在し、ロール状テープ支持部と切断部をつなぐ構造が大掛かりになってしまい、卓上スペースを無駄に占有し、持ち運びの際は重く大きくて不便であり、また、複数の刃が離れた位置にあることでテープ切断時や何気ない日常で不意に怪我をしてしまう可能性が高くなってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るテープカッターは、例えば図１から５のいずれかのように、
ロール状テープ１を軸線２中心に回転自在且つ着脱自在に支持する支持部３と、
ロール状テープ４を軸線２に略平行な軸線５中心に回転自在且つ着脱自在に支持し、ロール状テープ１の径方向に離れた位置に配置される支持部６と、
ロール状テープ１及び４の径方向に離れた位置に配置される切断部７と、
切断部７に備えられ、ロール状テープ１から引き出されたテープ１６を切断する刃８と、
切断部７に備えられ、刃８の隣接位置に配置され、ロール状テープ４から引き出されたテープ１７を切断する刃９と、
刃８及び支持部３の間に配置され、テープ１６を貼り剥がし自在な貼り付け部１０と、
刃９及び支持部６の間に配置され、テープ１７を貼り剥がし自在な貼り付け部１１と、
を具備し、
貼り付け部１０にテープ１６が貼り付いた準備状態を保ちながら、テープ１６及び１７の内側方向から刃９によってテープ１７のみを切断可能であり、
貼り付け部１１にテープ１７が貼り付いた準備状態を保ちながら、テープ１６及び１７の内側方向から刃８によってテープ１６のみを切断可能である、テープカッターである。
【０００９】
発明２に係るテープカッターは、発明１のテープカッターにおいて、
刃８及び９は表裏の位置にあり刃先が共通である、テープカッターである。
【発明の効果】
【００１０】
以上のように本発明では、ロール状テープ１及び４を素早く使用可能な状態で備えることが可能で、切断部７に刃８及び９が備えられることから支持部３及び６と切断部７をつなぐ構造を共用してロール状テープ１及び４の隙間に切断部７をコンパクトに配置する、軽く小さく、刃８及び９で怪我をする可能性の低いテープカッターの設計が容易となる。
【００１１】
また発明２では、本発明の効果に加えて、合理的な刃先によってよりコンパクトな切断部７の実現や低コスト化が容易となる。
【図面の簡単な説明】
【００１２】
【図１】第１実施形態の素早く使用可能状態を表した斜視図
【図２】第２実施形態の素早く使用可能状態を表した斜視図
【図３】第３実施形態の素早く使用可能状態を表した斜視図
【図４】第４実施形態の素早く使用可能状態を表した斜視図
【図５】第５実施形態の素早く使用可能状態を表した斜視図
【図６】切断部７を拡大表示した斜視図
【図７】切断部７を拡大表示した斜視図
【発明を実施するための形態】
【００１３】
本発明の第１実施形態を図１に基づいて説明する。
【００１４】
およそ長方形の樹脂製プレート体３０から垂直に延び軸線２及び５をそれぞれ中心とする外径の異なる円筒形状１４及び１５が設けられており、それぞれが支持部３及び６を成している。また、プレート体３０から垂直に延びる円柱状の突起には共通の刃先を有する刃８及び９と、テープ１６及び１７をそれぞれ貼り剥がし自在な平面状の貼り付け部１０及び１１が設けられており、これらが切断部７を成している。
大径の透明粘着テープであるロール状テープ１と、小径の半透明粘着テープであるロール状テープ４がそれぞれ円筒形状１４及び１５に回転自在に装着されており、貼り付け部１０及び１１に貼り付いたテープ１６及び１７の粘着面の内側の指避け部１２及び１３は互いのスペースを共用しているので比較的広い指避け部と言える。
また、テープ１６を切断する際は、プレート体３０のエッジに設けられた接地部２１を机の作業面に押し当てるか、円筒形状１４の内側貫通穴に左手の指を入れてつり革を掴むようにテープカッターを固定し、指避け部１２に右手の人差し指を入れてテープ１６を貼り付け部１０から剥がし、テープ１６をロール状テープ１から更に引き出して刃８に当て切断すればよい。
また、テープ１７を切断する際は、プレート体３０のエッジに設けられた接地部２０を机の作業面に押し当てるか、円筒形状１４の内側貫通穴に右手の指を入れてつり革を掴むようにテープカッターを固定し、指避け部１３に左手の人差し指を入れてテープ１７を貼り付け部１１から剥がし、テープ１７をロール状テープ４から更に引き出して刃９に当て切断すればよい。
【００１５】
本発明の第２実施形態は第１実施形態と共通する部分が多いので、主に違いについて図２に基づいて説明する。
【００１６】
貼り付け部１０及び１１は切断部７ではなく、ロール状テープ１及び４に近い位置でプレート体３０から垂直にそれぞれ延びる２本の円柱形状の外周に設けられており、また、指避け部１２は刃８と貼り付け部１０の間及び貼り付け部１０と支持部３の間に位置しており、指避け部１３は刃９と貼り付け部１１の間及び貼り付け部１１と支持部６の間に位置している。また、テープ１６及び１７の粘着面はテープカッター外側に向くようにロール状テープ１及び４が装着されている。このように粘着面を外側に向けることで、テープ１６及び１７が互いに貼り付いてしまうトラブルの可能性を軽減出来る。
また、テープ１６及び１７の粘着面を第１実施形態のように内側向きにして、貼り付け部１０及び１１の円柱形状の外側にそれぞれテープ１６及び１７を通しても使用可能である。
また、貼り付け部１０及び１１の円柱形状を軸中心に回転可能なローラー構造としておけば、テープ１６及び１７引き出しの際に貼り付け部１０及び１１を避ける必要が無くなるだろう。
【００１７】
本発明の第３実施形態は第１及び第２実施形態と共通する部分が多いので、主に違いについて図３に基づいて説明する。
【００１８】
片持ち状態である第１実施形態の円筒形状や円柱状突起に着脱自在に嵌合して補強するプレート体３１を設け、新たにプレート体３０及び３１に指避け部１２及び１３を設ける為に切り欠き形状をそれぞれ設け、指避け部１２及び１３を分けるように切断部７の円柱状突起とつながるように補強用の壁２２をプレート体３０及び３１の間に設けている。
切り欠き形状によってプレート体３０及び３１の両方向から指先を指避け部１２及び１３に入れること容易となる。
【００１９】
本発明の第４実施形態は第１実施形態と共通する部分が多いので、主に違いについて図４に基づいて説明する。
【００２０】
ロール状テープ１及び４は同一径で色違いの半透明粘着テープである。
また、テープ１６及び１７を切断する際は、円筒形状１４及び１５の内側貫通穴に２本の指を入れてテープカッターを固定すればよいだろう。
【００２１】
本発明の第５実施形態は第３実施形態と共通する部分が多いので、主に違いについて図５に基づいて説明する。
【００２２】
ロール状テープ１及び４は同一径で色違いの半透明粘着テープである。
また、テープ１６及び１７を切断する際は、プレート体３０及び３１のエッジに設けられた接地部２３を机の作業面に押し当てるか、円筒形状１４及び１５の内側貫通穴に２本の指を入れてテープカッターを固定すればよいだろう。
【００２３】
本発明の第１から第５実施形態において、刃８及び９の刃先は直線状に描かれているが、最も知られたノコギリ状や、例えば図６のようなテープ切断端部がギザギザではなく直線状で美しいと評判の矩形刃形状など、様々な刃形状を採用できるだろう。
【００２４】
本発明の第１から第５実施形態において、刃８及び９は表裏の位置にあり刃先が共通であるが、例えば図７のように刃８及び９が分かれていてもよい。
【符号の説明】
【００２５】
１,４.                                 ロール状テープ
２,５.                                 軸線
３,６.                                 支持部
７.                                      切断部
８,９.                                 刃
１０,１１.                         貼り付け部
１２,１３.                         指避け部
１４,１５.                         円筒形状
１６,１７.                         テープ
１８,１９.                         粘着面
２０,２１,２３.                接地部
２２.                                  壁
３０,３１.                         プレート体